(57)【特許請求の範囲】
【請求項１】
光源からの光を全反射するための全反射面を備えた第１反射部材を具備し、
前記光源からの光および前記第１反射部材の全反射面からの光を反射するための反射面を備えた第２反射部材が、光源の主光軸線の一方の側のみであって、前記光源の主光軸線を隔てて前記第１反射部材の全反射面の反対側のみに配置された照明装置において、
略円錐状の部材から、底面の一部分、および、前記光源の主光軸線の一方の側の側面の一部分を切り欠いた形状のレンズによって前記第１反射部材を構成し、
前記円錐の中心軸と前記光源の主光軸線とが一致するように前記レンズを配置し、
前記第１反射部材の全反射面上の点が、前記光源から遠ざかるに従って前記光源の主光軸線に近づくように、概略円錐面によって前記第１反射部材の全反射面を構成し、
前記光源の主光軸線の他方の側のみであって、前記光源の主光軸線を隔てて前記第２反射部材の反対側のみに前記第１反射部材の全反射面を配置し、
前記光源の主光軸線の一方の側に前記光源から放射された光を通過させるための第１屈折面を前記第１反射部材に形成し、
前記第１反射部材の全反射面からの光を屈折させる第２屈折面を前記全反射面と前記第１屈折面との間に形成し、
前記光源の主光軸線の他方の側に前記光源から放射された光が、前記第１反射部材の全反射面によって反射され、前記第１反射部材の第２屈折面を通過せしめられ、前記第２反射部材の反射面によって反射され、
前記光源の主光軸線の一方の側に前記光源から放射された光が、前記第１反射部材の第１屈折面を通過せしめられ、前記第２反射部材の反射面によって反射されることを特徴とする照明装置。
【請求項２】
前記第１反射部材の全反射面によって反射され、前記第１反射部材の第２屈折面を通過せしめられた前記光源からの光の一部が前記光源の側に戻されるように、前記第１反射部材の全反射面および第２屈折面を形成したことを特徴とする請求項１に記載の照明装置。
【請求項３】
前記第１反射部材の全反射面によって反射され、前記第１反射部材の第２屈折面を通過せしめられた前記光源からの光の一部を前記光源の側に戻すように屈折させるためのレンズカットを前記第２屈折面に形成したことを特徴とする請求項１又は２に記載の照明装置。
【発明の詳細な説明】
【技術分野】
【０００１】
本発明は、光源の主光軸線を挟むように２つの反射部材の反射面が配置された照明装置に関し、特には、反射部材の反射面が明るく見えるようにすることができる照明装置に関する。
【０００２】
詳細には、本発明は、光源からの光を反射するための反射面を備えた第１反射部材を具備し、光源からの光および第１反射部材の反射面からの光を反射するための反射面を備えた第２反射部材が、光源の主光軸線を隔てて第１反射部材の反対側に配置された照明装置に関する。
【０００３】
特には、本発明は、第２反射部材の反射面が明るく見えるようにすることができる照明装置に関する。
【背景技術】
【０００４】
従来から、ＬＥＤ（光源）からの光を反射するための反射面を備えた第１反射部材を具備し、ＬＥＤ（光源）からの光および第１反射部材の反射面からの光を反射するための反射面を備えた第２反射部材が、ＬＥＤ（光源）の主光軸線を隔てて第１反射部材の反対側に配置された光照射装置（照明装置）が知られている。この種の光照射装置（照明装置）の例としては、例えば特開２００５−２８３５６３号公報の図１に記載されたものがある。
【０００５】
特開２００５−２８３５６３号公報の図１に記載された光照射装置（照明装置）では、ＬＥＤ（光源）の主光軸線の右側に第１反射部材としての側板が設けられ、ＬＥＤ（光源）の主光軸線の左側に第２反射部材としての側板が設けられている。
【０００６】
そのため、特開２００５−２８３５６３号公報の図１に記載された光照射装置（照明装置）では、ＬＥＤ（光源）から放射された光の一部が、ＬＥＤ（光源）の主光軸線の右側の側板（第１反射部材）の反射面によって反射せしめられ、次いで、その反射光が、ＬＥＤ（光源）の主光軸線の左側の側板（第２反射部材）の反射面によって反射せしめられ、その反射光が光照射方向（詳細には、特開２００５−２８３５６３号公報の図１の右上側）に照射されている。また、ＬＥＤ（光源）から放射された光の一部が、ＬＥＤ（光源）の主光軸線の左側の側板（第２反射部材）の反射面によって反射せしめられ、その反射光が光照射方向（詳細には、特開２００５−２８３５６３号公報の図１のほぼ上側）に照射されている。
【０００７】
ところで、特開２００５−２８３５６３号公報の図１に記載された光照射装置（照明装置）では、ＬＥＤ（光源）の主光軸線の右側の側板（第１反射部材）の反射面上の点が、ＬＥＤ（光源）から遠ざかるに従ってＬＥＤ（光源）の主光軸線からも遠ざかるように、ＬＥＤ（光源）の主光軸線の右側の側板（第１反射部材）の反射面が形成されている。つまり、特開２００５−２８３５６３号公報の図１では、ＬＥＤ（光源）の主光軸線の右側の側板（第１反射部材）の反射面の縦断面曲線が右上がりになっている。
【０００８】
そのため、特開２００５−２８３５６３号公報の図１に記載された光照射装置（照明装置）では、ＬＥＤ（光源）の主光軸線の右側の側板（第１反射部材）の反射面からＬＥＤ（光源）の主光軸線の左側の側板（第２反射部材）の反射面に入射する光の入射角が、比較的大きくなってしまっている。つまり、特開２００５−２８３５６３号公報の図１に記載された光照射装置（照明装置）では、ＬＥＤ（光源）の主光軸線の右側の側板（第１反射部材）の反射面からの光が、特開２００５−２８３５６３号公報の図１の左向きに進むのではなく、特開２００５−２８３５６３号公報の図１の左上向きに進み、比較的大きい入射角でＬＥＤ（光源）の主光軸線の左側の側板（第２反射部材）の反射面に入射してしまっている。
【０００９】
その結果、特開２００５−２８３５６３号公報の図１に記載された光照射装置（照明装置）では、ＬＥＤ（光源）の主光軸線の左側の側板（第２反射部材）の反射面によって反射せしめられたＬＥＤ（光源）の主光軸線の右側の側板（第１反射部材）の反射面からの光の反射角も比較的大きくなってしまい、それにより、ＬＥＤ（光源）の主光軸線の左側の側板（第２反射部材）の反射面によって反射せしめられたＬＥＤ（光源）の主光軸線の右側の側板（第１反射部材）の反射面からの光の密度が低くなってしまう。
【００１０】
それゆえ、特開２００５−２８３５６３号公報の図１に記載された光照射装置（照明装置）では、ＬＥＤ（光源）の主光軸線の左側の側板（第２反射部材）の反射面が、光照射方向（特開２００５−２８３５６３号公報の図１の上側）から暗く見えてしまう。
【００１１】
【特許文献１】特開２００５−２８３５６３号公報
【発明の開示】
【発明が解決しようとする課題】
【００１２】
前記問題点に鑑み、本発明は、反射部材の反射面が明るく見えるようにすることができる照明装置を提供することを目的とする。
【課題を解決するための手段】
【００１３】
請求項１に記載の発明によれば、光源からの光を全反射するための全反射面を備えた第１反射部材を具備し、
前記光源からの光および前記第１反射部材の全反射面からの光を反射するための反射面を備えた第２反射部材が、光源の主光軸線の一方の側のみであって、前記光源の主光軸線を隔てて前記第１反射部材の全反射面の反対側のみに配置された照明装置において、
略円錐状の部材から、底面の一部分、および、前記光源の主光軸線の一方の側の側面の一部分を切り欠いた形状のレンズによって前記第１反射部材を構成し、
前記円錐の中心軸と前記光源の主光軸線とが一致するように前記レンズを配置し、
前記第１反射部材の全反射面上の点が、前記光源から遠ざかるに従って前記光源の主光軸線に近づくように、概略円錐面によって前記第１反射部材の全反射面を構成し、
前記光源の主光軸線の他方の側のみであって、前記光源の主光軸線を隔てて前記第２反射部材の反対側のみに前記第１反射部材の全反射面を配置し、
前記光源の主光軸線の一方の側に前記光源から放射された光を通過させるための第１屈折面を前記第１反射部材に形成し、
前記第１反射部材の全反射面からの光を屈折させる第２屈折面を前記全反射面と前記第１屈折面との間に形成し、
前記光源の主光軸線の他方の側に前記光源から放射された光が、前記第１反射部材の全反射面によって反射され、前記第１反射部材の第２屈折面を通過せしめられ、前記第２反射部材の反射面によって反射され、
前記光源の主光軸線の一方の側に前記光源から放射された光が、前記第１反射部材の第１屈折面を通過せしめられ、前記第２反射部材の反射面によって反射されることを特徴とする照明装置が提供される。
【００１４】
請求項２に記載の発明によれば、前記第１反射部材の全反射面によって反射され、前記第１反射部材の第２屈折面を通過せしめられた前記光源からの光の一部が前記光源の側に戻されるように、前記第１反射部材の全反射面および第２屈折面を形成したことを特徴とする請求項１に記載の照明装置が提供される。
【００１５】
請求項３に記載の発明によれば、前記第１反射部材の全反射面によって反射され、前記第１反射部材の第２屈折面を通過せしめられた前記光源からの光の一部を前記光源の側に戻すように屈折させるためのレンズカットを前記第２屈折面に形成したことを特徴とする請求項１又は２に記載の照明装置が提供される。
【発明の効果】
【００１７】
請求項１に記載の照明装置では、光源からの光を第２反射部材の反射面に反射するための第１反射部材が、レンズによって構成されている。また、第１反射部材の全反射面が、レンズの概略円錐面によって構成されている。更に、第１反射部材の全反射面上の点が、光源から遠ざかるに従って光源の主光軸線に近づくように、第１反射部材の全反射面が形成されている。
【００１８】
そのため、請求項１に記載の照明装置によれば、第１反射部材の全反射面上の点が光源から遠ざかるに従って光源の主光軸線から遠ざかるように第１反射部材の全反射面が形成されている場合よりも、第１反射部材の全反射面から第２反射部材の反射面に入射する光の入射角を小さくすることができる。
【００１９】
換言すれば、請求項１に記載の照明装置によれば、第１反射部材の全反射面上の点が光源から遠ざかるに従って光源の主光軸線から遠ざかるように第１反射部材の全反射面が形成されている場合よりも、第２反射部材の反射面によって反射せしめられた第１反射部材の全反射面からの光の反射角を小さくすることができ、それにより、第２反射部材の反射面によって反射せしめられた第１反射部材の全反射面からの光の密度を高くすることができる。
【００２０】
その結果、請求項１に記載の照明装置によれば、第１反射部材の全反射面上の点が光源から遠ざかるに従って光源の主光軸線から遠ざかるように第１反射部材の全反射面が形成されている場合よりも、第２反射部材の反射面が明るく見えるようにすることができる。
【００２１】
請求項２に記載の照明装置では、第１反射部材の全反射面によって反射され、第１反射部材の第２屈折面を通過せしめられた光源からの光の一部が光源の側に戻されるように、第１反射部材の全反射面および第２屈折面が形成されている。
【００２２】
そのため、請求項２に記載の照明装置によれば、第１反射部材の全反射面によって反射され、第１反射部材の第２屈折面を通過せしめられた光源からの光が光源から遠ざかる側に進むように第１反射部材の全反射面および第２屈折面が形成されている場合よりも、第１反射部材の第２屈折面から第２反射部材の反射面に入射する光の入射角を小さくすることができる。
【００２３】
その結果、請求項２に記載の照明装置によれば、第２反射部材の反射面の縦断面曲線と光源の主光軸線とが例えば４５°以上の大きい角度をなすように第２反射部材の反射面が形成されている場合であっても、第２反射部材の反射面が明るく見えるようにすることができる。
【００２４】
請求項３に記載の照明装置では、第１反射部材の全反射面によって反射され、第１反射部材の第２屈折面を通過せしめられた光源からの光の一部を光源の側に戻すように屈折させるためのレンズカットが、第２屈折面に形成されている。
【００２５】
そのため、請求項３に記載の照明装置によれば、第１反射部材の全反射面によって反射せしめられた光源からの光が素通しされるようにレンズの表面が形成されている場合よりも、第１反射部材から第２反射部材の反射面に入射する光の入射角を小さくすることができる。
【００２６】
その結果、請求項３に記載の照明装置によれば、第２反射部材の反射面の縦断面曲線と光源の主光軸線とが例えば４５°以上の大きい角度をなすように第２反射部材の反射面が形成されている場合であっても、第２反射部材の反射面が明るく見えるようにすることができる。
【発明を実施するための最良の形態】
【００２７】
以下、本発明の照明装置の第１の実施形態について説明する。図１は第１の実施形態の照明装置の概略的な断面図である。図１において、１は例えばＬＥＤなどのような光源を示している。２は光源１からの光を反射するために透明または半透明な材料によって形成された第１反射部材としてのレンズを示している。２ｄは光源１からの光を反射するためにレンズ２に形成された反射面を示している。この反射面２ｄは、レンズ２の表面の一部によって構成され、光源１からの光を全反射できるように形成されている。３は光源１からの光およびレンズ２からの光を反射するための第２反射部材としてのリフレクタを示している。３ａは光源１からの光およびレンズ２からの光を反射するためにリフレクタ３に形成された反射面を示している。４は透明または半透明な材料によって形成されたカバーを示している。
【００２８】
第１の実施形態の照明装置では、図１に示すように、リフレクタ３の反射面３ａが、光源１の主光軸線Ｌ０を隔ててレンズ２の反射面２ｄの反対側に配置されている。
【００２９】
図２および図３は図１に示したレンズ２の部品図である。詳細には、図２は図１に示したレンズ２の断面図であり、図３は図１に示したレンズ２の斜視図である。図２に示すように、第１の実施形態の照明装置では、レンズ２が、破線で示すような概略円錐状の部材から底面の一部分２ａおよび左側の一部分２ｂを切り欠いたような形状に形成されている。
【００３０】
第１の実施形態の照明装置では、レンズ２が例えば成形によって形成されているが、第２の実施形態の照明装置では、代わりに、レンズ２を削り加工によって形成することも可能である。
【００３１】
また、図２において、２ｃは光源１（図１参照）から放射された光をレンズ２内に進入させるための入力面を示している。２ｅは反射面２ｄによって反射せしめられた光源１からの光を屈折させるための第１屈折面を示している。２ｆは光源１からの光のうち、光源１の主光軸線Ｌ０（図１参照）よりもリフレクタ３（図１参照）の側（図１の左側）に放射された光を通過させるための第２屈折面を示している。２ｇは反射面２ｄと第１屈折面２ｅとを橋絡するための結合面を示している。
【００３２】
図３に示すように、第１の実施形態の照明装置では、複数のレンズ２が接合部２ｈによって互いに橋絡せしめられて１個のレンズユニット２’を構成しているが、第３の実施形態の照明装置では、代わりに、互いに分離した複数のレンズ２を用いることも可能である。あるいは、第４の実施形態の照明装置では、１個のみのレンズ２を用いることも可能である。
【００３３】
図４および図５は図１に示したリフレクタ３の部品図である。詳細には、図４は図１に示したリフレクタ３の断面図であり、図５は図１に示したリフレクタ３を図１の右側から見た側面図である。第１の実施形態の照明装置では、図５に示すように、複数の反射面３ａが、図３に示した複数のレンズ２に対応して設けられている。一方、図示しないが、第４の実施形態の照明装置では、１個のみの反射面３ａが、１個のみのレンズ２に対応してリフレクタ３に設けられている。
【００３４】
第１の実施形態の照明装置では、リフレクタ３の複数の反射面３ａのそれぞれが、同一形状になるように構成されているが、第５の実施形態の照明装置では、リフレクタ３の複数の反射面３ａのそれぞれを、異なる形状になるように構成することも可能である。
【００３５】
図６は第１の実施形態の照明装置の光源１から放射された光の光路を示した図である。第１の実施形態の照明装置では、図６に示すように、光源１から放射された光のうち、光源１の主光軸線Ｌ０に沿って図６の上向きに放射された光Ｌ１が、まず最初に、向きを殆ど変えることなくレンズ２の入力面２ｃ（図２参照）を通過せしめられ、次いで、向きを殆ど変えることなくレンズ２の結合面２ｇ（図２参照）を通過せしめられ、光源１の主光軸線Ｌ０に沿って図６の上向きに照射される。
【００３６】
更に、第１の実施形態の照明装置では、図６に示すように、光源１から放射された光のうち、図６の左上向きに放射された光Ｌ２が、まず最初に、レンズ２の入力面２ｃ（図２参照）を通過せしめられ、次いで、レンズ２の第２屈折面２ｆ（図２参照）を通過せしめられ、次いで、リフレクタ３の反射面３ａによって反射せしめられ、図６のほぼ上向きに照射される。また、光源１から放射された光のうち、図６の左上向きに放射された光Ｌ３が、まず最初に、レンズ２の入力面２ｃを通過せしめられ、次いで、レンズ２の第２屈折面２ｆを通過せしめられ、次いで、リフレクタ３の反射面３ａによって反射せしめられ、図６のほぼ上向きに照射される。
【００３７】
一方、第１の実施形態の照明装置では、図６に示すように、光源１から放射された光のうち、図６の右上向きに放射された光Ｌ４が、まず最初に、レンズ２の入力面２ｃ（図２参照）を通過せしめられ、次いで、レンズ２の反射面２ｄによって図６の左上向きに反射せしめられる。次いで、その反射光Ｌ４が、レンズ２の第１屈折面２ｅ（図２参照）によって図６のほぼ左向きに屈折せしめられる。次いで、その屈折光Ｌ４が、リフレクタ３の反射面３ａによって反射せしめられ、図６の右上向きに照射される。また、光源１から放射された光のうち、図６の右上向きに放射された光Ｌ５が、まず最初に、レンズ２の入力面２ｃを通過せしめられ、次いで、レンズ２の反射面２ｄによって図６のほぼ左向きに反射せしめられる。次いで、その反射光Ｌ５が、レンズ２の第１屈折面２ｅによって図６のやや左下向きに屈折せしめられる。次いで、その屈折光Ｌ５が、リフレクタ３の反射面３ａによって反射せしめられ、図６の右上向きに照射される。
【００３８】
第１の実施形態の照明装置では、図１および図６に示すように、レンズ２の反射面２ｄ上の点が、光源１から遠ざかるに従って光源１の主光軸線Ｌ０に近づくように、レンズ２の反射面２ｄが形成されている。換言すれば、レンズ２の反射面２ｄの縦断面曲線が右下がりになっている。
【００３９】
そのため、第１の実施形態の照明装置によれば、例えば特開２００５−２８３５６３号公報の図１に記載された光照射装置（照明装置）のように、ＬＥＤ（光源）の主光軸線の右側の側板（第１反射部材）の反射面上の点が、ＬＥＤ（光源）から遠ざかるに従ってＬＥＤ（光源）の主光軸線からも遠ざかるように、ＬＥＤ（光源）の主光軸線の右側の側板（第１反射部材）の反射面が形成されている場合よりも、図６に示すように、リフレクタ３の反射面３ａに入射する光Ｌ４の入射角θ１、および、リフレクタ３の反射面３ａに入射する光Ｌ５の入射角θ２を小さくすることができる。
【００４０】
つまり、第１の実施形態の照明装置によれば、例えば特開２００５−２８３５６３号公報の図１に記載された光照射装置（照明装置）のように、ＬＥＤ（光源）の主光軸線の右側の側板（第１反射部材）の反射面の縦断面曲線が右上がりになっている場合よりも、図６に示すように、リフレクタ３の反射面３ａに入射する光Ｌ４の入射角θ１、および、リフレクタ３の反射面３ａに入射する光Ｌ５の入射角θ２を小さくすることができる。
【００４１】
換言すれば、第１の実施形態の照明装置によれば、例えば特開２００５−２８３５６３号公報の図１に記載された光照射装置（照明装置）のように、ＬＥＤ（光源）の主光軸線の右側の側板（第１反射部材）の反射面の縦断面曲線が右上がりになっている場合よりも、図６に示すように、リフレクタ３の反射面３ａによって反射せしめられた光Ｌ４の反射角（＝θ１）を小さくすることができ、それにより、リフレクタ３の反射面３ａによって反射せしめられた光Ｌ４の密度を高くすることができる。また、リフレクタ３の反射面３ａによって反射せしめられた光Ｌ５の反射角（＝θ２）を小さくすることができ、それにより、リフレクタ３の反射面３ａによって反射せしめられた光Ｌ５の密度を高くすることができる。
【００４２】
その結果、第１の実施形態の照明装置によれば、例えば特開２００５−２８３５６３号公報の図１に記載された光照射装置（照明装置）のように、ＬＥＤ（光源）の主光軸線の右側の側板（第１反射部材）の反射面の縦断面曲線が右上がりになっている場合よりも、リフレクタ３の反射面３ａが図６の上側から明るく見えるようにすることができる。
【００４３】
また、第１の実施形態の照明装置では、図６に示すように、光源１から図６の上側に向かって放射された光のうち、レンズ２の反射面２ｄによって反射せしめられ、レンズ２の第１屈折面２ｅ（図２参照）によって屈折せしめられた光Ｌ５が、光源１の側（図６の下側）に戻されるように、レンズ２の反射面２ｄおよび第１屈折面２ｅが形成されている。
【００４４】
そのため、第１の実施形態の照明装置によれば、例えば特開２００５−２８３５６３号公報の図１に記載された光照射装置（照明装置）のように、ＬＥＤ（光源）の主光軸線の右側の側板（第１反射部材）の反射面によって反射せしめられたＬＥＤ（光源）からの光が光源から遠ざかる側に進む場合よりも、リフレクタ３の反射面３ａに入射する光Ｌ５の入射角θ２を小さくすることができる。
【００４５】
第１の実施形態の照明装置では、図６に示すように、リフレクタ３の反射面３ａの縦断面曲線と光源１の主光軸線Ｌ０とが３０°以下の比較的小さい角度θをなすように、リフレクタ３の反射面３ａが形成されている。図示しないが、第６の実施形態の照明装置では、代わりに、リフレクタ３の反射面３ａの縦断面曲線と光源１の主光軸線Ｌ０とが４５°以上の比較的大きい角度θをなすように、リフレクタ３の反射面３ａを形成することも可能である。つまり、第６の実施形態の照明装置では、リフレクタ３の高さ寸法（図６の上下方向寸法）が、第１の実施形態のリフレクタ３の高さ寸法よりも小さく設定されている。
【００４６】
第６の実施形態の照明装置においても、第１の実施形態の照明装置と同様に、光源１から放射された光のうち、レンズ２の反射面２ｄによって反射せしめられ、レンズ２の第１屈折面２ｅによって屈折せしめられた光Ｌ５が、光源１の側に戻されるように、レンズ２の反射面２ｄおよび第１屈折面２ｅが形成されている。
【００４７】
そのため、リフレクタ３の反射面３ａの縦断面曲線と光源１の主光軸線Ｌ０とが４５°以上の比較的大きい角度θをなすようにリフレクタ３の反射面３ａが形成されている第６の実施形態の照明装置においても、リフレクタ３の反射面３ａが明るく見えるようにすることができる。つまり、第６の実施形態の照明装置によれば、リフレクタ３の高さ寸法（図６の上下方向寸法）を小さく抑えつつ、リフレクタ３の反射面３ａが明るく見えるようにすることができる。
【００４８】
第１の実施形態の照明装置では、レンズ２の第１屈折面２ｅ（図２参照）にレンズカットが設けられていないが、第７の実施形態の照明装置では、代わりに、レンズ２の反射面２ｄによって反射せしめられた光源１からの光Ｌ４，Ｌ５を光源１の側（図６の下側）に戻すように屈折させるためのレンズカット（図示せず）をレンズ２の第１屈折面２ｅに形成することも可能である。換言すれば、第７の実施形態の照明装置では、レンズ２の第１屈折面２ｅに形成されたレンズカット（図示せず）によって、光Ｌ４，Ｌ５の配向制御が行われる。
【００４９】
また、第１の実施形態の照明装置では、図６に示すように、レンズ２の反射面２ｄによって反射せしめられた光源１からの光Ｌ５を光源１の側（図６の下側）に戻すようにレンズ２の第１屈折面２ｅ（図２参照）が形成されているが、第８の実施形態の照明装置では、代わりに、レンズ２の反射面２ｄによって反射せしめられた光源１からの光Ｌ５を素通しさせるようにレンズ２の第１屈折面２ｅを形成することも可能である。換言すれば、第１の実施形態の照明装置では、レンズ２の第１屈折面２ｅによって光Ｌ４，Ｌ５の配向制御が行われるが、第８の実施形態の照明装置では、レンズ２の第１屈折面２ｅによって光Ｌ４，Ｌ５の配向制御が行われない。
【００５０】
第１の実施形態の照明装置では、図６に示すように、光源１から放射された光Ｌ１，Ｌ２，Ｌ３，Ｌ４，Ｌ５が効率良く分配され、リフレクタ３の反射面３ａおよびレンズ２の結合面２ｇ（図２参照）（あるいはレンズ２の第２屈折面２ｆ）から照射される。そのため、第１の実施形態の照明装置によれば、少ない数の光源１によって明るい光を図６の上側に照射することができる。
【００５１】
また、第１の実施形態の照明装置では、図６に示すように、様々な向きに光Ｌ１，Ｌ２，Ｌ３，Ｌ４，Ｌ５が照射される。そのため、第１の実施形態の照明装置によれば、様々な位置から第１の実施形態の照明装置が明るく見えるようにすることができる。
【００５２】
第９の実施形態では、上述した第１から第８の実施形態を適宜組合わせることも可能である。
【産業上の利用可能性】
【００５３】
本発明の照明装置は、例えば遊技機器の演出用照明、自動車用リアコンビネーションランプ、例えばダウンライト、壁面照明、天井照明、床照明などの一般照明などに適用可能である。
【図面の簡単な説明】
【００５４】
【図１】第１の実施形態の照明装置の概略的な断面図である。
【図２】図１に示したレンズ２の部品図である。
【図３】図１に示したレンズ２の部品図である。
【図４】図１に示したリフレクタ３の部品図である。
【図５】図１に示したリフレクタ３の部品図である。
【図６】第１の実施形態の照明装置の光源１から放射された光の光路を示した図である。
【符号の説明】
【００５５】
１        光源
２        レンズ
２ｃ      入力面
２ｄ      反射面
２ｅ      第１屈折面
２ｆ      第２屈折面
２ｇ      結合面
３        リフレクタ
３ａ      反射面
４        カバー
【図１】
0004646132.tif 000002
【図２】
0004646132.tif 000003
【図３】
0004646132.tif 000004
【図４】
0004646132.tif 000005
【図５】
0004646132.tif 000006
【図６】
0004646132.tif 000007